(57)【要約】【課題】ガイドレールを用いずに開閉することが可能な折畳扉及び折畳扉パネル連動機構の提供を目的とする。【解決手段】本発明の折畳扉１００には、第１パネル１０１に対する第２パネル１０２の回転動作に連動して、第１パネル１０１を壁体１１０に対して第２パネル１０２とは反対方向に回転させる折畳扉パネル連動機構が備えられている。これにより、従来のようにガイドレールを用いることなく、折畳扉１００を開閉することができる。従って、折畳扉１００の設置に係る手間が従来よりも軽減される。また、ガイドレールが設置できない場所にも取り付けることができるから、設置場所の自由度が向上する。【選択図】図１０
2007204962.tif 000002
【特許請求の範囲】
【請求項１】
壁体（１１０）に形成された開口（１１１）の一側縁部に回動可能に連結される第１パネル（１０１）と、その第１パネル（１０１）の先端部に回動可能に連結された第２パネル（１０２）とを前記壁体（１１０）の開口面に対して平行に配置して前記開口（１１１）を閉塞可能な折畳扉（１００）に組み付けられ、前記第１パネル（１０１）と前記第２パネル（１０２）とを連動させる折畳扉パネル連動機構において、
前記壁体（１１０）又は前記第１パネル（１０１）の一方に回転可能に軸支された第１回転車（５５）と、
前記壁体（１１０）と前記第１パネル（１０１）との間に設けられて、前記壁体（１１０）に対する前記第１パネル（１０１）の回転に連動して前記第１回転車（５５）を軸支部分に対して回転させる第１トルク伝達機構（５６，５８，６０）と、
前記第１パネル（１０１）又は前記第２パネル（１０２）の一方に回転可能に軸支された第２回転車（５２，５２Ａ，５２Ｂ）と、
前記第１パネル（１０１）と前記第２パネル（１０２）との間に設けられて、前記第１パネル（１０１）に対する前記第２パネル（１０２）の回転に連動して前記第２回転車（５２，５２Ａ，５２Ｂ）を軸支部分に対して回転させる第２トルク伝達機構（１７Ａ，１７Ｂ，２３，２５，７０，７２）と、
前記第２パネル（１０２）が前記開口面に対する前後方向の一方側に回転する動作に連動して、前記第１パネル（１０１）が前記開口面に対する前後方向の他方側に同角度で回転するように、前記第１回転車（５５）と前記第２回転車（５２，５２Ａ，５２Ｂ）とを連動回転可能に連結する回転伝達部材（５７）とを備えたことを特徴とする折畳扉パネル連動機構。
【請求項２】
前記第１回転車（５５）は、前記第１パネル（１０１）の基端部に回転可能に軸支されたスプロケット又はプーリで構成され、
前記第２回転車（５２）は、前記第１パネル（１０１）の先端部に回転可能に軸支されたスプロケット又はプーリで構成され、
前記第１トルク伝達機構（５６，５８，６０）は、前記壁体（１１０）に固定された壁体固定トルク伝達車（６０）と、前記第１回転車（５５）と同軸上に設けられて一体回転する第１回転トルク伝達車（５６）と、前記第１パネル（１０１）に回転可能に軸支され、前記壁体固定トルク伝達車（６０）と前記第１回転トルク伝達車（５６）の外周面に係合して前記壁体固定トルク伝達車（６０）の外周面を転動する転動トルク伝達車（５８）とを有し、
前記第２トルク伝達機構（１７Ａ，１７Ｂ，２３，２５）は、前記第１パネル（１０１）と前記第２パネル（１０２）とを連結すると共にそれら第１パネル（１０１）及び第２パネル（１０２）に対して回転可能に軸支されかつ前記第２回転車（５２）に固定されたパネル連結部材（２３，２５）と、前記第１パネル（１０１）の先端部に固定された第１パネル固定トルク伝達車（１７Ａ）と、前記第２パネル（１０２）の基端部に固定されて前記第１パネル固定トルク伝達車（１７Ａ）の外周面に係合すると共に、前記第１パネル（１０１）に対する前記第２パネル（１０２）の回転により前記第１パネル固定トルク伝達車（１７Ａ）の外周面を転動する第２パネル固定トルク伝達車（１７Ｂ）とを有し、
前記回転伝達部材（５７）は、前記第１回転車（５５）と前記第２回転車（５２）とを同方向に連動回転させるように連結したチェーン又はベルトであることを特徴とする請求項１に記載の折畳扉パネル連動機構。
【請求項３】
前記第１回転車（５５）は、前記第１パネル（１０１）の基端部に回転可能に軸支されたスプロケット又はプーリで構成され、
前記第２回転車（５２Ａ，５２Ｂ）は、前記第１パネル（１０１）の先端部に回転可能に軸支されたスプロケット又はプーリで構成され、
前記第１トルク伝達機構（５６，５８，６０）は、前記壁体（１１０）に固定された壁体固定トルク伝達車（６０）と、前記第１回転車（５５）と同軸上に設けられて一体回転する第１回転トルク伝達車（５６）と、前記第１パネル（１０１）に回転可能に軸支され、前記壁体固定トルク伝達車（６０）と前記第１回転トルク伝達車（５６）の外周面に係合して前記壁体固定トルク伝達車（６０）の外周面を転動する転動トルク伝達車（５８）とを有し、
前記第２トルク伝達機構（１７Ａ，１７Ｂ，２３，２５，７０，７２）は、前記第１パネル（１０１）と前記第２パネル（１０２）とを連結すると共にそれら第１パネル（１０１）及び第２パネル（１０２）に対して回転可能に軸支された回転連結部材（２３，２５）と、前記第１パネル（１０１）の先端部であって前記第２回転車（５２Ａ，５２Ｂ）よりも前記第１回転車（５５）側の位置に回転可能に軸支された第３回転車（７２）と、前記第２パネル（１０２）の基端部に回転可能に軸支されかつ前記回転連結部材（２３，２５）に固定された第４回転車（７０）と、前記第１パネル（１０１）の先端部に固定された第１パネル固定トルク伝達車（１７Ａ）と、前記第２パネル（１０２）の基端部に固定されて前記第１パネル固定トルク伝達車（１７Ａ）の外周面に係合すると共に、前記第１パネル（１０１）に対する前記第２パネル（１０２）の回転により前記第１パネル固定トルク伝達車（１７Ａ）の外周面を転動する第２パネル固定トルク伝達車（１７Ｂ）とを有し、
前記回転伝達部材（５７）は、前記第４回転車（７０）、前記第２回転車（５２Ａ，５２Ｂ）、前記第３回転車（７２）、前記第１回転車（５５）の順に回転方向が交互に逆向きになるようにたすき掛けされたチェーン又はベルトであることを特徴とする請求項１に記載の折畳扉パネル連動機構。
【請求項４】
前記第１パネル固定トルク伝達車（１７Ａ）又は前記第２パネル固定トルク伝達車（１７Ｂ）の一端面に常時当接するように付勢された係合凸部（２９）と、
前記第１パネル固定トルク伝達車（１７Ａ）又は前記第２パネル固定トルク伝達車（１７Ｂ）の一端面のうち、前記折畳扉（１００）が折り畳まれて前記開口（１１１）を開放したときに前記係合凸部（２９）が当接する部分に陥没形成された第１の係合凹部（２２）と、前記折畳扉（１００）が開かれて前記開口（１１１）が閉塞されたときに前記係合凸部（２９）が当接する部分に陥没形成された第２の係合凹部（２２）とを備えたことを特徴とする請求項２乃至３の何れかに記載の折畳扉パネル連動機構。
【請求項５】
壁体（１１０）に形成された開口（１１１）の一側縁部に回動可能に連結される第１パネル（１０１）と、その第１パネル（１０１）の先端部に回動可能に連結された第２パネル（１０２）とを前記壁体（１１０）の開口面に対して平行に配置して前記開口（１１１）を閉塞可能な折畳扉（１００）に組み付けられ、前記第１パネル（１０１）と前記第２パネル（１０２）とを連動させる折畳扉パネル連動機構において、
前記壁体（１１０）に固定された壁体固定トルク伝達車（６０）と、
前記第１パネル（１０１）の基端部に回転可能に軸支された第１回転車（５５）と、
前記第１回転車（５５）と同軸上に設けられて一体回転する第１回転トルク伝達車（５６）と、
前記第１パネル（１０１）に回転可能に軸支され、前記壁体固定トルク伝達車（６０）と前記第１回転トルク伝達車（５６）の外周面に係合すると共に前記壁体固定トルク伝達車（６０）の外周面を転動する転動トルク伝達車（５８）と、
前記第２パネル（１０２）の基端部に固定された第２パネル固定車（８３）と、
前記第２パネル（１０２）が前記開口面に対する前後方向の一方側に回転する動作に連動して、前記第１パネル（１０１）が前記開口面に対する前後方向の他方側に同角度で回転するように、前記第１回転車（５５）と前記第２パネル固定車（８３）とを連結する回転伝達部材（５７，８７）とを備えたことを特徴とする折畳扉パネル連動機構。
【請求項６】
前記第１パネル（１０１）及び第２パネル（１０２）の厚さ方向においてそれら第１パネル（１０１）及び第２パネル（１０２）が折り畳まれた場合に内側に位置する側を回動中心とするヒンジ機構（１５０）を備え、そのヒンジ機構（１５０）の回動中心と同軸上に前記第２パネル固定車（８３）が設けられたことを特徴とする請求項５に記載の折畳扉パネル連動機構。
【請求項７】
壁体（１１０）に形成された開口（１１１）の一側縁部に回動可能に連結される第１パネル（１０１）と、
前記第１パネル（１０１）の先端部に回動可能に連結された第２パネル（１０２）と、
前記請求項１乃至６の何れかに記載の折畳扉パネル連動機構とを備えたことを特徴とする折畳扉（１００）。
【請求項８】
前記折畳扉パネル連動機構は、前記第１パネル（１０１）及び前記第２パネル（１０２）の上端面及び／又は下端面に設けられ、それら第１パネル（１０１）及び第２パネル（１０２）の上端面及び／又は下端面には、前記折畳扉パネル連動機構を収容するカバー体（３１０）が着脱可能に取り付けられたことを特徴とする請求項７に記載の折畳扉（１００）。
【請求項９】
前記第２パネル（１０２）は、前記第１パネル（１０１）よりも幅広に形成され、前記第１パネル（１０１）及び前記第２パネル（１０２）が前記壁体（１１０）の開口面に直交する開口直交面に平行に折り重ねられたときに、前記第２パネル（１０２）の先端部が前記第１パネル（１０１）の基端部よりも突出するように構成されたことを特徴とする請求項７又は８に記載の折畳扉（１００）
【請求項１０】
前記第１パネル（１０１）及び／又は前記第２パネル（１０２）の下端部には、戸車（３００）が備えられたことを特徴とする請求項７乃至９の何れかに記載の折畳扉（１００）。
【発明の詳細な説明】
【技術分野】
【０００１】
本発明は、壁体に形成された開口の一側縁部に回動可能に連結された第１パネルと、その第１パネルに回動可能に連結された第２パネルとを有する折畳扉及び、その折畳扉に組み付けられる折畳扉パネル連動機構に関する。
【背景技術】
【０００２】
この種の従来の折畳扉としては、第２パネルの上端部又は下端部にガイドローラを備え、そのガイドローラを開口の天井面又は床面に設けられたガイドレールにスライド可能に係合させたものが知られている（例えば、特許文献１を参照）。
【特許文献１】特開２００４−２０４５５７号公報（段落［００２７］−［００３１］、［図１］、［図５］）
【発明の開示】
【発明が解決しようとする課題】
【０００３】
ところで、上述した従来の折畳扉では、開口の天井面又は床面にガイドレールを別途設ける必要があり設置に手間がかかる。また、床面にガイドレールを設けることはバリヤフリーの観点からは好ましくない。
【０００４】
本発明は、上記事情に鑑みてなされたもので、ガイドレールを用いずに開閉することが可能な折畳扉及び折畳扉パネル連動機構の提供を目的とする。
【課題を解決するための手段】
【０００５】
上記目的を達成するためになされた請求項１の発明に係る折畳扉パネル連動機構は、壁体（１１０）に形成された開口（１１１）の一側縁部に回動可能に連結される第１パネル（１０１）と、その第１パネル（１０１）の先端部に回動可能に連結された第２パネル（１０２）とを壁体（１１０）の開口面に対して平行に配置して開口（１１１）を閉塞可能な折畳扉（１００）に組み付けられ、第１パネル（１０１）と第２パネル（１０２）とを連動させる折畳扉パネル連動機構において、壁体（１１０）又は第１パネル（１０１）の一方に回転可能に軸支された第１回転車（５５）と、壁体（１１０）と第１パネル（１０１）との間に設けられて、壁体（１１０）に対する第１パネル（１０１）の回転に連動して第１回転車（５５）を軸支部分に対して回転させる第１トルク伝達機構（５６，５８，６０）と、第１パネル（１０１）又は第２パネル（１０２）の一方に回転可能に軸支された第２回転車（５２，５２Ａ，５２Ｂ）と、第１パネル（１０１）と第２パネル（１０２）との間に設けられて、第１パネル（１０１）に対する第２パネル（１０２）の回転に連動して第２回転車（５２，５２Ａ，５２Ｂ）を軸支部分に対して回転させる第２トルク伝達機構（１７Ａ，１７Ｂ，２３，２５，７０，７２）と、第２パネル（１０２）が開口面に対する前後方向の一方側に回転する動作に連動して、第１パネル（１０１）が開口面に対する前後方向の他方側に同角度で回転するように、第１回転車（５５）と第２回転車（５２，５２Ａ，５２Ｂ）とを連動回転可能に連結する回転伝達部材（５７）とを備えたところに特徴を有する。
【０００６】
請求項２の発明は、請求項１に記載の折畳扉パネル連動機構において、第１回転車（５５）は、第１パネル（１０１）の基端部に回転可能に軸支されたスプロケット又はプーリで構成され、第２回転車（５２）は、第１パネル（１０１）の先端部に回転可能に軸支されたスプロケット又はプーリで構成され、第１トルク伝達機構（５６，５８，６０）は、壁体（１１０）に固定された壁体固定トルク伝達車（６０）と、第１回転車（５５）と同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合して壁体固定トルク伝達車（６０）の外周面を転動する転動トルク伝達車（５８）とを有し、第２トルク伝達機構（１７Ａ，１７Ｂ，２３，２５）は、第１パネル（１０１）と第２パネル（１０２）とを連結すると共にそれら第１パネル（１０１）及び第２パネル（１０２）に対して回転可能に軸支されかつ第２回転車（５２）に固定されたパネル連結部材（２３，２５）と、第１パネル（１０１）の先端部に固定された第１パネル固定トルク伝達車（１７Ａ）と、第２パネル（１０２）の基端部に固定されて第１パネル固定トルク伝達車（１７Ａ）の外周面に係合すると共に、第１パネル（１０１）に対する第２パネル（１０２）の回転により第１パネル固定トルク伝達車（１７Ａ）の外周面を転動する第２パネル固定トルク伝達車（１７Ｂ）とを有し、回転伝達部材（５７）は、第１回転車（５５）と第２回転車（５２）とを同方向に連動回転させるように連結したチェーン又はベルトであるところに特徴を有する。
【０００７】
請求項３の発明は、請求項１に記載の折畳扉パネル連動機構において、第１回転車（５５）は、第１パネル（１０１）の基端部に回転可能に軸支されたスプロケット又はプーリで構成され、第２回転車（５２Ａ，５２Ｂ）は、第１パネル（１０１）の先端部に回転可能に軸支されたスプロケット又はプーリで構成され、第１トルク伝達機構（５６，５８，６０）は、壁体（１１０）に固定された壁体固定トルク伝達車（６０）と、第１回転車（５５）と同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合して壁体固定トルク伝達車（６０）の外周面を転動する転動トルク伝達車（５８）とを有し、第２トルク伝達機構（１７Ａ，１７Ｂ，２３，２５，７０，７２）は、第１パネル（１０１）と第２パネル（１０２）とを連結すると共にそれら第１パネル（１０１）及び第２パネル（１０２）に対して回転可能に軸支された回転連結部材（２３，２５）と、第１パネル（１０１）の先端部であって第２回転車（５２Ａ，５２Ｂ）よりも第１回転車（５５）側の位置に回転可能に軸支された第３回転車（７２）と、第２パネル（１０２）の基端部に回転可能に軸支されかつ回転連結部材（２３，２５）に固定された第４回転車（７０）と、第１パネル（１０１）の先端部に固定された第１パネル固定トルク伝達車（１７Ａ）と、第２パネル（１０２）の基端部に固定されて第１パネル固定トルク伝達車（１７Ａ）の外周面に係合すると共に、第１パネル（１０１）に対する第２パネル（１０２）の回転により第１パネル固定トルク伝達車（１７Ａ）の外周面を転動する第２パネル固定トルク伝達車（１７Ｂ）とを有し、回転伝達部材（５７）は、第４回転車（７０）、第２回転車（５２Ａ，５２Ｂ）、第３回転車（７２）、第１回転車（５５）の順に回転方向が交互に逆向きになるようにたすき掛けされたチェーン又はベルトであるところに特徴を有する。
【０００８】
請求項４の発明は、請求項２乃至３の何れかに記載の折畳扉パネル連動機構において、第１パネル固定トルク伝達車（１７Ａ）又は第２パネル固定トルク伝達車（１７Ｂ）の一端面に常時当接するように付勢された係合凸部（２９）と、第１パネル固定トルク伝達車（１７Ａ）又は第２パネル固定トルク伝達車（１７Ｂ）の一端面のうち、折畳扉（１００）が折り畳まれて開口（１１１）を開放したときに係合凸部（２９）が当接する部分に陥没形成された第１の係合凹部（２２）と、折畳扉（１００）が開かれて開口（１１１）が閉塞されたときに係合凸部（２９）が当接する部分に陥没形成された第２の係合凹部（２２）とを備えたところに特徴を有する。
【０００９】
請求項５の発明に係る折畳扉パネル連動機構は、壁体（１１０）に形成された開口（１１１）の一側縁部に回動可能に連結される第１パネル（１０１）と、その第１パネル（１０１）の先端部に回動可能に連結された第２パネル（１０２）とを壁体（１１０）の開口面に対して平行に配置して開口（１１１）を閉塞可能な折畳扉（１００）に組み付けられ、第１パネル（１０１）と第２パネル（１０２）とを連動させる折畳扉パネル連動機構において、壁体（１１０）に固定された壁体固定トルク伝達車（６０）と、第１パネル（１０１）の基端部に回転可能に軸支された第１回転車（５５）と、第１回転車（５５）と同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合すると共に壁体固定トルク伝達車（６０）の外周面を転動する転動トルク伝達車（５８）と、第２パネル（１０２）の基端部に固定された第２パネル固定車（８３）と、第２パネル（１０２）が開口面に対する前後方向の一方側に回転する動作に連動して、第１パネル（１０１）が開口面に対する前後方向の他方側に同角度で回転するように、第１回転車（５５）と第２パネル固定車（８３）とを連結する回転伝達部材（５７，８７）とを備えたところに特徴を有する。
【００１０】
請求項６の発明は、請求項５に記載の折畳扉パネル連動機構において、第１パネル（１０１）及び第２パネル（１０２）の厚さ方向においてそれら第１パネル（１０１）及び第２パネル（１０２）が折り畳まれた場合に内側に位置する側を回動中心とするヒンジ機構（１５０）を備え、そのヒンジ機構（１５０）の回動中心と同軸上に第２パネル固定車（８３）が設けられたところに特徴を有する。
【００１１】
請求項７の発明に係る折畳扉（１００）は、壁体（１１０）に形成された開口（１１１）の一側縁部に回動可能に連結される第１パネル（１０１）と、第１パネル（１０１）の先端部に回動可能に連結された第２パネル（１０２）と、請求項１乃至６の何れかに記載の折畳扉パネル連動機構とを備えたところに特徴を有する。
【００１２】
請求項８の発明は、請求項７に記載の折畳扉（１００）において、折畳扉パネル連動機構は、第１パネル（１０１）及び第２パネル（１０２）の上端面及び／又は下端面に設けられ、それら第１パネル（１０１）及び第２パネル（１０２）の上端面及び／又は下端面には、折畳扉パネル連動機構を収容するカバー体（３１０）が着脱可能に取り付けられたところに特徴を有する。
【００１３】
請求項９の発明は、請求項７又は８に記載の折畳扉（１００）において、第２パネル（１０２）は、第１パネル（１０１）よりも幅広に形成され、第１パネル（１０１）及び第２パネル（１０２）が壁体（１１０）の開口面に直交する開口直交面に平行に折り重ねられたときに、第２パネル（１０２）の先端部が第１パネル（１０１）の基端部よりも突出するように構成されたところに特徴を有する。
【００１４】
請求項１０の発明は、請求項７乃至９の何れかに記載の折畳扉において、第１パネル及び／又は第２パネルの下端部には、戸車（３００）が備えられたところに特徴を有する。
【発明の効果】
【００１５】
［請求項１及び７の効果］
上記のように構成した請求項１及び７に係る発明によれば、折畳扉（１００）の第２パネル（１０２）を第１パネル（１０１）に対して開口面の前後方向の一方側に回転させると、その回転が第２トルク伝達機構（１７Ａ，１７Ｂ，２３，２５，７０，７２）により、第１パネル（１０１）又は第２パネル（１０２）に対する第２回転車（５２，５２Ａ，５２Ｂ）の回転として伝達される。すると第２回転車（５２，５２Ａ，５２Ｂ）に連動して第１回転車（５５）が壁体（１１０）又は第１パネル（１０１）に対して相対回転し、その回転が、第１トルク伝達機構（５６，５８，６０）によって、壁体（１１０）に対する第１パネル（１０１）の回転として伝達され、第１パネル（１０１）が壁体（１１０）に対して開口面の前後方向の他方側へ第２パネル（１０２）と同角度で回転する。
【００１６】
即ち、折畳扉（１００）が折り畳まれる場合には、第２パネル（１０２）の第１パネル（１０１）に対する回転に連動して、第１パネル（１０１）が壁体（１１０）に対して第２パネル（１０２）とは反対方向に同角度で回転し、第１パネル（１０１）と第２パネル（１０２）の連結部分が略「く」の字に折れ曲がりながら、折畳扉（１００）の全体が開口（１１１）の一側縁部側に引き寄せられる。そして、第１パネル（１０１）及び第２パネル（１０２）が、それぞれ開口面に対して相反する方向に９０度ずつ回動した時点で、それら両パネル（１０１，１０２）が開口（１１１）の一側縁部にて開口面に直交するように折り重なって、開口（１１１）が開放される。
【００１７】
また、折畳扉（１００）が展開される場合には、第１パネル（１０１）及び第２パネル（１０２）が、折り畳まれる場合と逆の動作をし、両パネル（１０１，１０２）が、折り畳まれた状態から、開口面に対してそれぞれ相反する方向に９０度ずつ回動した時点で、第１パネル（１０１）及び第２パネル（１０２）が開口面に平行に配置され、開口（１１１）が閉塞される。
【００１８】
このように、本発明によれば、ガイドレールを用いずに折畳扉（１００）を開閉することができる。これにより、従来のガイドレールを必要とする折畳扉に比較して、設置に係る手間が軽減される。また、ガイドレールが設置できない場所にも取り付けることができ、設置場所の自由度が向上する。
【００１９】
［請求項２の効果］
請求項２の構成によれば、第２パネル（１０２）を第１パネル（１０１）に対して開口面の前後方向の一方側へ回転させると、第２パネル固定トルク伝達車（１７Ｂ）が第１パネル固定トルク伝達車（１７Ａ）の外周面を転動する。すると、第１パネル（１０１）と第２パネル（１０２）が、パネル連結部材（２３，２５）との軸支部分を中心にして互いに相反する方向に回転する。このときパネル連結部材（２３，２５）に固定された第２回転車（５２）が第１パネル（１０１）に対して相対回転することになり、チェーン（５７）又はベルトが第２回転車（５２）に巻き取られる。すると、第１回転車（５５）が第１パネル（１０１）上で第２回転車（５２）と同方向に回転し、この第１回転車（５５）と同軸上に設けられた第１回転トルク伝達車（５６）が一体回転する。第１回転トルク伝達車（５６）の回転により、その外周面に係合した転動トルク伝達車（５８）が壁体固定トルク伝達車（６０）の外周面を第１回転車（５５）の回転方向（即ち、第１パネル（１０１）に対する第２パネル（１０２）の回転方向）とは反対方向に転動し、第１パネル（１０１）が壁体（１１０）に対して開口面の前後方向の他方側に回転する。つまり、第２パネル（１０２）を第１パネル（１０１）に対して回転させることで、第１パネル（１０１）が壁体（１１０）に対して第２パネル（１０２）とは反対方向に回転して、折畳扉（１００）が開かれたり折り畳まれる。
【００２０】
［請求項３の効果］
請求項３の構成によれば、第２パネル（１０２）を第１パネル（１０１）に対して開口面の前後方向の一方側へ回転させると、第２パネル固定トルク伝達車（１７Ｂ）が第１パネル固定トルク伝達車（１７Ａ）の外周面を転動する。すると、第１パネル（１０１）と第２パネル（１０２）が、回転連結部材（２３，２５）との軸支部分を中心にして互いに相反する方向に回転する。このとき第２回転車（５２Ａ，５２Ｂ）が第１パネル（１０１）に対して相対回転することになり、チェーン（５７）又はベルトが第２回転車（５２Ａ，５２Ｂ）に巻き取られる。すると、第１回転車（５５）が第１パネル（１０１）上で第２回転車（５２Ａ，５２Ｂ）と同方向に回転し、この第１回転車（５５）と同軸上に設けられた第１回転トルク伝達車（５６）が一体回転する。第１回転トルク伝達車（５６）の回転により、その外周面に係合した転動トルク伝達車（５８）が壁体固定トルク伝達車（６０）の外周面を第１回転車（５５）の回転方向（即ち、第１パネル（１０１）に対する第２パネル（１０２）の回転方向）とは反対方向に転動し、第１パネル（１０１）が壁体（１１０）に対して開口（１１１）面の前後方向の他方側に回転する。つまり、第２パネル（１０２）を第１パネル（１０１）に対して回転させることで、第１パネル（１０１）が壁体（１１０）に対して第２パネル（１０２）とは反対方向に回転して、折畳扉（１００）が開かれたり折り畳まれる。
【００２１】
［請求項４の効果］
請求項４の構成によれば、折畳扉（１００）が折り畳まれると、係合凸部（２９）が第１の係合凹部（２２）に凹凸嵌合して開口（１１１）が開放された状態に保持される。また、折畳扉（１００）が開かれると係合凸部（２９）が第２の係合凹部（２２）に凹凸嵌合して開口（１１１）が閉鎖された状態に保持される。これにより、折畳扉（１００）が偶発的に開閉動作することが防がれる。
【００２２】
［請求項５の効果］
請求項５の構成によれば、第２パネル（１０２）を第１パネル（１０１）に対して開口面の前後方向の一方側へ回転させると、第２パネル（１０２）の基端部に固定された第２パネル固定車（８３）が、第１パネル（１０１）に対して第２パネル（１０２）と同方向に回転し、その回転が第１パネル（１０１）上の第１回転車（５５）に伝達される。第１回転車（５５）は、第２パネル固定車（８３）と同方向に回転し、第１回転車（５５）と同軸上に設けられた第１回転トルク伝達車（５６）が第１回転車（５５）と一体回転する。第１回転トルク伝達車（５６）の回転により、その外周面に係合した転動トルク伝達車（５８）が壁体固定トルク伝達車（６０）の外周面を第１回転車（５５）の回転方向（即ち、第１パネル（１０１）に対する第２パネル（１０２）の回転方向）とは反対方向に転動し、第１パネル（１０１）が壁体（１１０）に対して開口面の前後方向の他方側に第２パネル（１０２）と同角度だけ回転する。
【００２３】
即ち、折畳扉（１００）が折り畳まれる場合には、第２パネル（１０２）の第１パネル（１０１）に対する回転に連動して、第１パネル（１０１）が壁体（１１０）に対して第２パネル（１０２）とは反対方向に同角度で回転し、第１パネル（１０１）と第２パネル（１０２）の連結部分が略「く」の字に折れ曲がりながら、折畳扉（１００）の全体が開口（１１１）の一側縁部側に引き寄せられる。そして、第１パネル（１０１）及び第２パネル（１０２）が、それぞれ開口面に対して相反する方向に９０度ずつ回動した時点で、それら両パネル（１０１，１０２）が開口（１１１）の一側縁部にて開口面に直交するように折り重なって、開口（１１１）が開放される。
【００２４】
また、折畳扉（１００）が展開される場合には、第１パネル（１０１）及び第２パネル（１０２）が、折り畳まれる場合と逆の動作をし、両パネル（１０１，１０２）が、折り畳まれた状態から、開口面に対してそれぞれ相反する方向に９０度ずつ回動した時点で、第１パネル（１０１）及び第２パネル（１０２）が開口面に平行に配置され、開口（１１１）が閉塞される。つまり、第２パネル（１０２）を第１パネル（１０１）に対して回転させることで、第１パネル（１０１）が壁体（１１０）に対して第２パネル（１０２）とは反対方向に回転して折畳扉（１００）が開かれたり折り畳まれる。
【００２５】
このように、本発明によれば、ガイドレールを用いずに折畳扉（１００）を開閉することができる。これにより、従来のガイドレールを必要とする折畳扉に比較して、設置に係る手間が軽減される。また、ガイドレールが設置できない場所にも取り付けることができ、設置場所の自由度が向上する。
【００２６】
［請求項６の効果］
請求項６の構成によれば、折畳扉（１００）を開閉操作する場合に第１パネル（１０１）に対して第２パネル（１０２）の回転可能な方向が、開口面の前後方向の何れか一方に決まるので、折畳扉（１００）の開閉操作を安定して行うことができる。
【００２７】
［請求項８の効果］
請求項８の構成によれば、折畳扉パネル連動機構をカバー体（３１０）によって保護することができる。
【００２８】
［請求項９の効果］
請求項９の構成によれば、折畳扉（１００）を開閉する際に、第２パネル（１０２）の先端部を持って開閉操作することができる。
【００２９】
［請求項１０の効果］
請求項１０の構成によれば、折畳扉（１００）の自重を戸車（３００）で支えることができ、第１パネル（１０１）と第２パネル（１０２）との連結部分や第１パネル（１０１）と壁体（１１０）との連結部分にかかる折畳扉（１００）の自重による負荷を軽減できる。ここで、戸車（３００）とは、第１パネル（１０１）及び／又は第２パネル（１０２）を支持しかつ床面を転動可能であればよく、転動部分がローラー形状でもよいしボール形状でもよい。
【発明を実施するための最良の形態】
【００３０】
［第１実施形態］
以下、本発明の第１実施形態を図１〜図１０に基づいて説明する。
図１には、本発明に係る折畳扉１００の全体が示されている。同図に示すように、本実施形態の折畳扉１００は、壁体１１０に形成された開口１１１の一側縁部１１１Ａに、床面及び天井面から離された片持ち状態で軸支されている。また、折畳扉１００は、開口１１１を閉鎖したときにその先端部と基端部が壁体１１０の前面に重なるようになっている（図２（Ａ）を参照）。以下、説明の便宜上、開口１１１の開口面のうち、開口１１１が閉鎖された状態で折畳扉１００が位置する側（図２における下方）を「前方」といい、その反対側（図２における上方）を「後方」という。
【００３１】
折畳扉１００は、縦長の第１パネル１０１の先端部に、同じく縦長の第２パネル１０２の基端部を回動可能に連結してなり、第１パネル１０１の基端部が、例えば、壁体１１０の前面に固定された上下１対のヒンジ１０３，１０３により壁体１１０に回転可能に軸支されている。そして、折畳扉１００は、第１パネル１０１と第２パネル１０２とが開口１１１の開口面に平行に配置されて開口１１１を閉鎖した状態（図２（Ａ）の状態）と、第１パネル１０１と第２パネル１０２とが開口１１１の一側縁部１１１Ａにおいて折り重なり開口面に対して直角に配置されて開口１１１を開放した状態（図２（Ｃ）の状態）とに変位可能になっている。
【００３２】
ここで折畳扉１００のうち、先端側の第２パネル１０２は、基端側の第１パネル１０１よりも幅広となっており、図２（Ｃ）に示すように、両パネル１０１，１０２が開口１１１の一側縁部１１１Ａで折り重なったときには、第２パネル１０２の先端部が第１パネル１０１の基端部よりも開口面の前方に突出する。そして、第２パネル１０２の先端部には、折畳扉１００を手動で開閉操作するための取っ手１０４，１０４が備えられている。取っ手１０４，１０４は、例えば、門形形状をなし、第２パネル１０２の前後両面にそれぞれ取り付けられている。このように、取っ手１０４を第２パネル１０２の先端部に設けることで、折畳扉１００を折り畳む際に取っ手１０４が第１パネル１０１に干渉することが防がれ、開閉操作がし易くなっている。
【００３３】
なお、図２（Ａ）に示すように、開口１１１の他側縁部１１１Ｂには、壁体１１０の前面から突出した当接部材１１２が備えられており、折畳扉１００が開口１１１を閉鎖したときには、この当接部材１１２が第２パネル１０２の先端部後面に突き当たるようになっている。また、本実施形態では、第１パネル１０１及び第２パネル１０２が木製の板材で構成されているが、合成樹脂製であってもよい。
【００３４】
ところで、図１に示すように、第１パネル１０１の先端側の上下角部と、第２パネル１０２の基端側の上下角部には、それぞれ段付き凹所１０６が形成されている。これら段付き凹所１０６は、例えば、各パネル１０１，１０２を構成する板材の角部を矩形状に切除した構造をなしている。そして、折畳扉１００の上端部で互いに向き合った２つの段付き凹所１０６，１０６に、上部ヒンジユニット１０が設けられ、折畳扉１００の下端部で互いに向き合った２つの段付き凹所１０６，１０６に下部ヒンジユニット５０が設けられている。これら上部ヒンジユニット１０と下部ヒンジユニット５０により、第２パネル１０２が第１パネル１０１の先端部に回動可能に連結されている。
【００３５】
各ヒンジユニット１０，５０は、第１パネル１０１及び第２パネル１０２に固定される１対のブラケット１１に種々の部品を組み付けてなる。以下、１対のブラケット１１を区別する場合には、第１パネル１０１に固定される方を「第１ブラケット１１Ａ」といい、第２パネル１０２に固定される方を「第２ブラケット１１Ｂ」という。
【００３６】
上部ヒンジユニット１０に備えた１対のブラケット１１は、例えば金属製であって、図６に示すように各パネル１０１，１０２の板厚よりも幅狭な帯板状の固定板１２と、その固定板１２の一端に一体形成された円板状のヒンジ板１３とからなる。固定板１２には複数のネジ挿通孔１４が中心線Ｌを挟んで互い違いにずらして貫通形成されている。また、ヒンジ板１３の中心には、ヒンジピン挿通孔１５が貫通形成され、ヒンジ板１３のうち、ブラケット１１の中心線Ｌ上でヒンジピン挿通孔１５を挟んだ位置には、１対の位置決め孔１６，１６が貫通形成されている。
【００３７】
これらブラケット１１のうち、固定板１２，１２は、第１パネル１０１及び第２パネル１０２の上端面に形成された溝形凹所１０５，１０５（図３を参照）の底面に宛がわれてネジ止めされている。また、ヒンジ板１３，１３は、各パネル１０１，１０２の段付き凹所１０６，１０６内に配置され、僅かな隙間を空けて突き合わされている。
【００３８】
第１ブラケット１１Ａのヒンジ板１３上面には、第１パネル固定トルクギヤ１７Ａ（本発明の「第１パネル固定トルク伝達車」に相当する）が重ねて固定されている。また、第２ブラケット１１Ｂのヒンジ板１３上面には第２パネル固定トルクギヤ１７Ｂ（本発明の「第２パネル固定トルク伝達車」に相当する）が重ねて固定されている。これら第１パネル固定トルクギヤ１７Ａ及び第２パネル固定トルクギヤ１７Ｂは、例えば金属製であって、互いの外周面同士が噛合している。
【００３９】
第１パネル固定トルクギヤ１７Ａは以下のようである。即ち、第１パネル固定トルクギヤ１７Ａの周面には、例えば５つの凹部１８ａ〜１８ｅ（図７（Ａ）を参照）が周方向に４５度ずつ間隔を開けて設けられている。凹部１８ａ〜１８ｅは、第１パネル固定トルクギヤ１７Ａの中心部に向かって円弧状に凹んでいる。
【００４０】
第１パネル固定トルクギヤ１７Ａの中心部にはヒンジピン挿通孔１９が貫通形成され、そのヒンジピン挿通孔１９を径方向で挟んだ位置には１対の位置決め孔２０，２０が貫通形成されている。そして、第１ブラケット１１Ａのヒンジ板１３上面に第１パネル固定トルクギヤ１７Ａを重ねて互いの位置決め孔１６，２０同士を整合させ、そこに位置決めピン９１，９１（図５を参照）を挿入嵌合させることで、第１パネル固定トルクギヤ１７Ａが第１ブラケット１１Ａに対し回転不能に固定されている。即ち、第１パネル固定トルクギヤ１７Ａは、第１パネル１０１に回転不能に固定されている。なお、第１パネル固定トルクギヤ１７Ａを第１ブラケット１１Ａに固定すると、第１パネル固定トルクギヤ１７Ａに形成された５つの凹部１８ａ〜１８ｅのうち中央部に形成された凹部１８ｃが、第１ブラケット１１Ａの中心線Ｌ上に位置決めされる（図７（Ａ）を参照）。
【００４１】
第２パネル固定トルクギヤ１７Ｂは以下のようである。即ち、第２パネル固定トルクギヤ１７Ｂの周面には、前記第１パネル固定トルクギヤ１７Ａの凹部１８ａ〜１８ｅと噛合する例えば５つの凸部２１ａ〜１２ｅが形成されている。凸部２１ａ〜２１ｅは第２パネル固定トルクギヤ１７Ｂの周面から径方向に突出して先端部が円弧状をなしており、第２パネル固定トルクギヤ１７Ｂの周方向に４５度ずつ間隔を開けて設けられている。
【００４２】
ここで、５つの凸部２１ａ〜１２ｅのうち、互いに９０度ずつ離れた３つの凸部２１ａ，２１ｃ，２１ｅの上面には、ボール係合凹部２２が陥没形成されている。これらボール係合凹部２２の底面は何れも球面状をなし、ここに後述する係合ボール２９（本発明の「係合凸部」に相当する）が凹凸係合可能になっている。
【００４３】
第２パネル固定トルクギヤ１７Ｂの中心部にはヒンジピン挿通孔１９が形成され、そのヒンジピン挿通孔１９を径方向で挟んだ位置には１対の位置決め孔２０，２０が貫通形成されている。そして、第２ブラケット１１Ｂのヒンジ板１３上面に第２パネル固定トルクギヤ１７Ｂを重ねて互いの位置決め孔１６，２０同士を整合させ、そこに位置決めピン９１，９１（図５を参照）を挿入嵌合させることで、第２パネル固定トルクギヤ１７Ｂが第２ブラケット１１Ｂに対し相対回転不能に固定されている。即ち、第２パネル固定トルクギヤ１７Ｂは第２パネル１０２に回転不能に固定されている。なお、第２パネル固定トルクギヤ１７Ｂを第２ブラケット１１Ｂに固定すると、第２パネル固定トルクギヤ１７Ｂに形成された５つの凸部２１ａ〜２１ｅのうち、第２パネル固定トルクギヤ１７Ｂの中央部に形成された凸部２１ｃが、第２ブラケット１１Ｂの中心線Ｌ上に位置決めされる（図７（Ａ）を参照）。以上が、第１パネル固定トルクギヤ１７Ａ及び第２パネル固定トルクギヤ１７Ｂの説明である。
【００４４】
ところで、１対のブラケット１１の各ヒンジ板１３，１３とそれらヒンジ板１３，１３に固定された第１パネル固定トルクギヤ１７Ａ及び第２パネル固定トルクギヤ１７Ｂは、以下に説明する上側連結プレート２５と下側連結プレート２３（以下、適宜、これらを纏めて「連結プレート２３，２５」という）によって上下から挟まれている。なお、本実施形態における連結プレート２３，２５は、本発明の「パネル連結部材」に相当する。
【００４５】
下側連結プレート２３は、例えば、略瓢箪形の金属板で構成されている。即ち、下側連結プレート２３は、図６に示すように２つの円板部２３Ａ，２３Ａが括れ部２３Ｂで一体に繋がった構造をなしている。円板部２３Ａ，２３Ａは、各ブラケット１１のヒンジ板１３，１３と同一径を有しており、それぞれの円板部２３Ａ，２３Ａが、各ブラケット１１の各ヒンジ板１３，１３の下面に宛がわれている（図４を参照）。また、円板部２３Ａ，２３Ａの中心には、ヒンジピン挿通孔２４，２４が貫通形成されている。
【００４６】
上側連結プレート２５は、例えば、下側連結プレート２３よりも厚肉な金属板であって、下側連結プレート２３よりも一回り大きな略瓢箪形をしている。上側連結プレート２５の各円板部２５Ａ，２５Ａは、第１パネル固定トルクギヤ１７Ａの上面と、第２パネル固定トルクギヤ１７Ｂの上面とにそれぞれ宛がわれている。また、各円板部２５Ａ，２５Ａの中心には、それぞれヒンジピン挿通孔２６，２６が貫通形成され、上側連結プレート２５の上面でヒンジピン挿通孔２６，２６の周縁部には、円形凹所２７，２７が段付き状に陥没形成されている。
【００４７】
さらに、図５に示すように、上側連結プレート２５の下面には係合ボール収容凹所２８が形成されている。係合ボール収容凹所２８は、２つのヒンジピン挿通孔２６，２６の中間部に形成され、円筒内面を有して下方に開放している。この係合ボール収容凹所２８に、コイルバネ３０と係合ボール２９とが上下に重なって収容されている。係合ボール２９はコイルバネ３０によって下方に付勢されており、常時、第１パネル固定トルクギヤ１７Ａと第２パネル固定トルクギヤ１７Ｂとの噛合部分に押し当てられている。
【００４８】
そして、上側連結プレート２５の上面側からヒンジピン挿通孔２６，２６に挿入されたヒンジピン９０Ａ，９０Ｂが、第１パネル固定トルクギヤ１７Ａ、第２パネル固定トルクギヤ１７Ｂ、１対のブラケット１１及び下側連結プレート２３のそれぞれに形成されたヒンジピン挿通孔１９，１５，２４を貫通しており、それらヒンジピン９０Ａ，９０Ｂの上下両端部が上側連結プレート２５の上面と、下側連結プレート２３の下面とに抜け止め状態に係止されている。これにより、第１パネル１０１と第２パネル１０２の上端部同士が回転可能に連結されると共に、連結プレート２３，２５が、第１パネル１０１の先端部及び第２パネル１０２の基端部に対して回転可能に軸支される。連結プレート２３，２５の説明は以上であって、このうち上側連結プレート２５には、例えば樹脂製のカバー部材３２が取り付けられている。
【００４９】
カバー部材３２は、上側連結プレート２５に対応した略瓢箪形状をなしており下方に開放している。カバー部材３２の上壁部３２Ａには、例えば２つのネジ挿通孔３３，３３が貫通形成されており、ここに挿通された雄ネジ９２，９２（図５には、一方の雄ネジ９２のみが示されている）を上側連結プレート２５のネジ孔３１，３１に螺合させることで、カバー部材３２が上側連結プレート２５に固定されている。このカバー部材３２により、上側連結プレート２５の上面と側面及び、第１パネル固定トルクギヤ１７Ａと第２パネル固定トルクギヤ１７Ｂの周面が覆われている。これにより、ヒンジピン９０Ａ，９０Ｂの抜け止めが図られると共に、第１パネル固定トルクギヤ１７Ａと第２パネル固定トルクギヤ１７Ｂとの噛合部分への異物の進入が防止される。以上が、上部ヒンジユニット１０に関する説明である。
【００５０】
下部ヒンジユニット５０は、概ね、上部ヒンジユニット１０と同じ構造である。即ち、第１パネル１０１及び第２パネル１０２の下端部にネジ止め固定された１対のブラケット１１に対して、第１パネル固定トルクギヤ１７Ａ、第２パネル固定トルクギヤ１７Ｂ及び連結プレート２３，２５をヒンジピン９０Ａ，９０Ｂによって一体に組み付けてなる。そして、下部ヒンジユニット５０によって第１パネル１０１と第２パネル１０２の下端部同士が回転可能に連結されると共に、下部ヒンジユニット５０に備えた連結プレート２３，２５が、第１パネル１０１の先端部及び第２パネル１０２の基端部に対して回転可能に軸支されている。以下、下部ヒンジユニット５０のうち、上部ヒンジユニット１０と同じ構成については、同一符号を付し、重複する説明は省略する。
【００５１】
図８に示すように、下部ヒンジユニット５０に備えた１対のブラケット１１のうち、第２パネル１０２の下端面に固定された第２ブラケット１１Ｂは、上部ヒンジユニット１０に備えた１対のブラケット１１と同一形状であるが、第１パネル１０１の下端面に固定された第１ブラケット１１Ａは、他の３つのブラケット１１よりも長くなっており、幅寸法も第１パネル１０１の板厚とほぼ同じとなっている。
【００５２】
なお、本実施形態の上部ヒンジユニット１０及び下部ヒンジユニット５０の構成であれば、例えば、第２パネル１０２が開口面に平行に配置された場合に、第２パネル１０２を第１パネル１０１に対して開口面の前後方向の両方に回転させることが可能である。これに対し、本実施形態では、第１パネル１０１と壁体１１０とを連結したヒンジ１０３を壁体１１０の前面１１０Ａに取り付けてあるので、第２パネル１０２は、開口面に平行な位置から開口面の後方へ回転不可能となり、開口面の前方だけに回転可能になっている。
【００５３】
ところで、折畳扉１００の下端部には、本発明の折畳扉パネル連動機構が備えられている。折畳扉パネル連動機構の構成は以下のようである。
【００５４】
図８に示すように、下部ヒンジユニット５０に備えられたヒンジピン９０Ａ，９０Ｂは、共に下側連結プレート２３を貫通して、各パネル１０１，１０２の下方に突出している。両ヒンジピン９０Ａ，９０Ｂは、連結プレート２３，２５に対して回転不能に固定されており、第１パネル固定トルクギヤ１７Ａ、第２パネル固定トルクギヤ１７Ｂ、第１ブラケット１１Ａ、第２ブラケット１１Ｂに対しては相対回転可能になっている。そして、第１パネル１０１側のヒンジピン９０Ａの下端部には第２スプロケット５２（本発明の「第２回転車」に相当する）が固定されている。つまり、第２スプロケット５２は第１パネル１０１に対して相対回転可能に軸支されかつ、連結プレート２３，２５に対して回転不能に固定されている。なお、ヒンジピン９０Ａの下端部で、下側連結プレート２３と第２スプロケット５２との間にはスペーサ５３が挟まれている。また、第２パネル１０２側のヒンジピン９０Ｂの下端部にはナット９３が螺合されており下側連結プレート２３の下面に宛がわれている。
【００５５】
第１ブラケット１１Ａの基端部には、本発明の「第１回転車」に相当する第１スプロケット５５が回転可能に軸支されている。詳細には、第１スプロケット５５は、図９に示すように、第１ブラケット１１Ａの中心線Ｌ上から回転可能に垂下した回転軸５４の下端部に固定されている。この回転軸５４には本発明の「第１回転トルク伝達車」に相当する第１回転トルクギヤ５６も固定されており、これら第１スプロケット５５と第１回転トルクギヤ５６とが一体回転するようになっている。さらに、ヒンジピン９０Ａに固定された第２スプロケット５２と、回転軸５４に固定された第１スプロケット５５との間は、図８に示すように環状のチェーン５７（本発明の「回転伝達部材」に相当する）で連結されており、これにより、第１スプロケット５５と第２スプロケット５２が第１パネル１０１に対して同方向に回転するようになっている。
【００５６】
第１ブラケット１１Ａの基端部には、本発明の「転動トルク伝達車」に相当する転動トルクギヤ５８が設けられている。転動トルクギヤ５８は、第１ブラケット１１Ａから垂下した軸体５９に回転可能に軸支されており、前記第１回転トルクギヤ５６と後述する壁体固定トルクギヤ６０（本発明の「壁体固定トルク伝達車」に相当する）との間に配置されている。この転動トルクギヤ５８は、第１回転トルクギヤ５６と壁体固定トルクギヤ６０の外周面にギヤ連結している。
【００５７】
壁体固定トルクギヤ６０は、開口１１１の一側縁部１１１Ａに取り付けられた取付金具６１に軸支されている。取付金具６１は、板金を直角曲げした構造をなし、壁体１１０の前面１１０Ａに宛がわれてネジ止めされた垂直板６１Ａと、垂直板６１Ａの下端部から前方に張り出した水平板６１Ｂとからなる。水平板６１Ｂの先端部からは回転不能な軸体６２が起立しており、この軸体６２に壁体固定トルクギヤ６０が回転不能に固定されている。なお、壁体固定トルクギヤ６０（軸体６２）は、ヒンジ１０３，１０３の回転中心と同軸上に設けられている。
【００５８】
ここで、本実施形態では、第１パネル固定トルクギヤ１７Ａ、第２パネル固定トルクギヤ１７Ｂ、連結プレート２３，２５、第１スプロケット５５、第２スプロケット５２、転動トルクギヤ５８、壁体固定トルクギヤ６０及びチェーン５７により、「折畳扉パネル連動機構」が構成されている。
【００５９】
以上が、本実施形態の折畳扉１００及び折畳扉パネル連動機構の構造に関する説明である。次に本実施形態の動作を説明する。例えば、図１、図２（Ａ）及び図１０（Ａ）に示すように折畳扉１００によって閉鎖された開口１１１を開放するには、第２パネル１０２の前面側の取っ手１０４を把持して、第２パネル１０２を第１パネル１０１に対して開口面の前方（図２（Ａ）の下方）に回転させる。すると、第２パネル固定トルクギヤ１７Ｂが第１パネル固定トルクギヤ１７Ａの外周面を転動して（図７（Ｂ）を参照）、第１パネル１０１と第２パネル１０２とがヒンジピン９０Ａ，９０Ｂを中心として互いに接近するように略「く」の字に折れ曲がる。このとき、第２スプロケット５２は、連結プレート２３，２５に対しては回転しないが、第１パネル１０１に対しては、第２パネル１０２と同方向（図１０（Ｂ）の矢印で示した方向）に相対回転することになり、チェーン５７が第２スプロケット５２に巻き取られる。すると、第１スプロケット５５と第１回転トルクギヤ５６が第１パネル１０１に対して第２スプロケット５２と同方向に回転し、第１回転トルクギヤ５６にギヤ連結した転動トルクギヤ５８が壁体固定トルクギヤ６０の外周面を第１スプロケット５５とは反対方向に転動する。これにより、第１パネル１０１が、ヒンジ１０３，１０３を中心にして開口面の後方（図１０（Ｂ）における上方）に回転する。つまり、図２（Ｂ）に示すように、第２パネル１０２が第１パネル１０１に対して開口面の前方に角度θだけ回転すると、第１パネル１０１がヒンジ１０３，１０３を中心にして開口面の後方に同角度（角度θ）だけ回転して、折畳扉１００が、第１パネル１０１と第２パネル１０２との連結部分で屈曲しながら開口１１１の一側縁部１１１Ａ側に引き寄せられる。
【００６０】
そして、第２パネル１０２が開口面の前方に９０度（第１パネル１０１に対して１８０度）回転したときに、第１パネル１０１は開口面の後方に９０度回転することになり、両パネル１０１，１０２が開口１１１の一側縁部１１１Ａで折り重なって、開口１１１が全開になる（図２（Ｃ）の状態）。このとき、係合ボール２９が第１パネル固定トルクギヤ１７Ａに形成された３つのボール係合凹部２２のうち、凸部２１ｅの上面に形成されたボール係合凹部２２（図７を参照、本発明の「第２の係合凹部」に相当する）に嵌り込んで折畳扉１００が折り畳まれた状態、即ち、開口１１１が全開状態に保持される。
【００６１】
逆に、図２（Ｃ）に示すように全開した開口１１１を折畳扉１００で閉鎖するためには、折畳扉１００の第２パネル１０２を開口面の後方に回転させる。すると、チェーン５７で連結された第１スプロケット５５及び第２スプロケット５２と、相互にギヤ連結した第１回転トルクギヤ５６及び転動トルクギヤ５８が、それぞれ折畳扉１００が折り畳まれるときとは逆向きに回転して、折畳扉１００が開かれる。そして、第２パネル１０２が開口面の後方に９０度（第１パネル１０１に対して１８０度）回転したときに、第１パネル１０１は開口面の前方に９０度回転することになり、両パネル１０１，１０２が開口面に平行に配置されて、開口１１１が折畳扉１００によって閉鎖される。このとき、係合ボール２９が第１パネル固定トルクギヤ１７Ａに形成された３つのボール係合凹部２２のうち、凸部２１ｃの上面に形成されたボール係合凹部２２（図７を参照、本発明の「第１の係合凹部」に相当する）に嵌り込んで折畳扉１００が開かれた状態、即ち、開口１１１が閉鎖状態に保持される。
【００６２】
このように本実施形態によれば、従来のようにガイドレールを用いることなく、折畳扉１００を開閉することができる。従って、折畳扉１００の設置に係る手間が従来よりも軽減される。また、折畳扉１００を、ガイドレールが設置できない場所にも取り付けることができるから、設置場所の自由度が向上する。また、開口１１１の床面にガイドレールを設けずに済むからバリヤフリーにも対応できる。さらに、折畳扉１００の上下端部を開口１１１の天井面と床面から離すことができるから、開口１１１の天井面や床面に凹凸があっても折畳扉１００を開閉することができる。しかも、折畳扉１００は折り畳まれた状態と開かれた状態とに保持できるから、折畳扉１００が偶発的に開閉動作することが防止される。
【００６３】
［第２実施形態］
この第２実施形態は、折畳扉パネル連動機構の構成を上記第１実施形態とは異なる構成としたものである。その他の構成については上記第１実施形態と同じであるため、同じ構成については、同一符号を付し、重複する説明は省略する。
【００６４】
本実施形態の折畳扉パネル連動機構は以下のようである。即ち、下部ヒンジユニット５０の第１パネル１０１側に備えられたヒンジピン９０Ａは、第１パネル１０１及び連結プレート２３，２５に対して回転可能となっており、図１２に示すようにヒンジピン９０Ａの下端部には、本発明の「第２回転車」に相当する上下１対の第２スプロケット５２Ａ，５２Ｂが固定されている。つまり、第２スプロケット５２Ａ，５２Ｂは、第１パネル１０１及び連結プレート２３，２５に対して回転可能に軸支されている。
【００６５】
また、第２パネル１０２側のヒンジピン９０Ｂは、第１実施形態と同様に、第２パネル１０２に対して回転可能でありかつ、連結プレート２３，２５に回転不能に固定されている。そして、このヒンジピン９０Ｂの下端部には、本発明の「第４回転車」に相当する上下１対の第４スプロケット７０，７０が固定されている。つまり、第４スプロケット７０，７０は、第２パネル１０２に対して回転可能に軸支されかつ連結プレート２３，２５に対して回転不能に固定されている。
【００６６】
さらに、第１ブラケット１１Ａの中心線Ｌ上で、ヒンジピン９０Ａの近傍位置には、第１パネル１０１に対して回転可能な回転軸７６が備えられ、その回転軸７６には、本発明の「第３回転車」に相当する上下１対の第３スプロケット７２，７２が固定されている。つまり、第３スプロケット７２，７２は、第１パネル１０１に対して回転可能に軸支されている。
【００６７】
チェーン５７は、その両端部が第４スプロケット７０，７０に固定されており、図１１に示すように、ヒンジピン９０Ａ，９０Ｂの間、ヒンジピン９０Ａと回転軸７６の間、回転軸７６と回転軸５４の間でそれぞれ交差するように、第２スプロケット５２Ａ，５２Ｂ、第３スプロケット７２，７２、第１スプロケット５５の順にたすき掛けされている。これにより第４スプロケット７０，７０、第２スプロケット５２Ａ，５２Ｂ、第３スプロケット７２，７２、第１スプロケット５５の順に交互に回転方向が逆向きになる。つまり、第２パネル１０２に対する第４スプロケット７０，７０の回転方向と第１パネル１０１に対する第３スプロケット７２，７２の回転方向とが同方向になり、第１パネル１０１に対する第２スプロケット５２Ａ，５２Ｂの回転方向と第１スプロケット５５の回転方向とが同方向になる。ここで、チェーン５７をたすき掛けしたことにより、第１スプロケット５５と第４スプロケット７０，７０との相対位置が変化した場合に、チェーン５７が緩んで各スプロケット５５，７０，７２から外れることが防止できる。なお、本実施形態において連結プレート２３，２５は、本発明における「回転連結部材」に相当する。
【００６８】
次に本実施形態の動作を説明する。開口１１１を閉鎖した折畳扉１００（図１３（Ａ）を参照）を折り畳むために、第２パネル１０２を開口１１１の開口面の前方に回転させると、上記第１実施形態の場合と同様に、第１パネル１０１と第２パネル１０２とがヒンジピン９０Ａ，９０Ｂを中心として互いに接近するように「く」の字に折れ曲がる。このとき、第２スプロケット５２Ａ，５２Ｂは、第１パネル１０１に対して第２パネル１０２と同方向（図１３（Ｂ）の矢印で示された方向）に相対回転することになる。以下、第１実施形態の場合と同様に、チェーン５７によって連結された第１スプロケット５５が、第２スプロケット５２Ａ，５２Ｂと同方向に回転し、転動トルクギヤ５８が壁体固定トルクギヤ６０の外周面を第１スプロケット５５とは反対方向に転動する。そして、第１パネル１０１が、ヒンジ１０３，１０３を中心にして、壁体１１０に対して開口面の後方（図１３（Ｂ）における上方）に回転する。つまり、図２（Ｂ）に示すように、第２パネル１０２が第１パネル１０１に対して開口面の前方に回転すると、第１パネル１０１がヒンジ１０３，１０３を中心にして開口面の後方に同角度だけ回転する。また、図２（Ｃ）に示すように全開状態の開口１１１を折畳扉１００で閉鎖するために、折り畳み状態の第２パネル１０２を開口面の後方に回転させた場合には、各スプロケット７０，７２及びギヤ５６，５８が折り畳み時とは逆回転して、折畳扉１００が開かれ開口１１１が閉鎖される。このように本実施形態によっても、第１実施形態と同等の効果を奏する。
【００６９】
［第３実施形態］
この第３実施形態は、主に下部ヒンジユニットと折畳扉パネル連動機構の構成を上記第１実施形態とは異なる構成としたものである。その他の構成については上記第１実施形態と同じであるため、同じ構成については、同一符号を付し、重複する説明は省略する。
【００７０】
本実施形態の折畳扉１００に取り付けられた下部ヒンジユニット１５０（本発明の「ヒンジ機構」に相当する）は、第１パネル１０１及び第２パネル１０２の板厚方向において、それら第１パネル１０１と第２パネル１０２とが折り畳まれた場合に内側に位置する側を回動中心として、第２パネル１０２を第１パネル１０１に対して回転可能に連結している。詳細には、下部ヒンジユニット１５０のうち、ブラケット１１Ａ，１１Ｂの端部に形成されたヒンジ板８０，８０は、図１４に示すように、ブラケット１１Ａ，１１Ｂの中心線Ｌから折畳扉１００の前面側（図１４における下側）にずれた位置に偏在しており、その中心部にはピン孔８０Ａが貫通形成されている（図１６を参照）。そして、図１５に示すように、各ブラケット１１Ｂ，１１Ａのヒンジ板８０同士を上下に重ねた状態で、それらヒンジ板８０のピン孔８０Ａに、ヒンジピン８１が挿通されて下部ヒンジユニット１５０が構成されている。ここで、ヒンジピン８１は、第２ブラケット１１Ｂのピン孔８０Ａに回転不能に嵌合しているのに対し、第１ブラケット１１Ａのピン孔８０Ａには遊嵌している。これにより、ヒンジピン８１は、第２パネル１０２に対して回転不能に固定され、第１パネル１０１に対しては相対回転可能となっている。そして、下部ヒンジユニット１５０に備えたヒンジピン８１を中心にして、第１パネル１０１と第２パネル１０２とが回転可能に連結されている。
【００７１】
ところで、ヒンジピン８１は、折畳扉１００の下面側に突出しており、その下端部には、本発明の「第２パネル固定車」に相当する第２パネル固定プーリ８３が固定されている。また、第１ブラケット１１Ａの先端部には、第１パネル１０１に対して回転可能な回転軸８４が備えられ、その回転軸８４に中継プーリ８５と中継スプロケット８６とが上下に重ねて固定されている。図１４に示すように、中継プーリ８５はヒンジピン８１に固定された第２パネル固定プーリ８３とベルト８７（本発明の「回転伝達部材」に相当する）で連結されている。また、中継スプロケット８６は、チェーン５７（本発明の「回転伝達部材」に相当する）によって第１スプロケット５５（本発明の「第１回転車」に相当する）と連結されて、これら第１スプロケット５５と中継スプロケット８６とが第１パネル１０１上で同方向に回転するようになっている。即ち、第２パネル固定プーリ８３と第１スプロケット５５とが同方向に回転するように連結されている。
【００７２】
次に本実施形態の動作を説明する。開口１１１を閉鎖した折畳扉１００（図１７（Ａ）を参照）を折り畳んで開口１１１を開放するために、第２パネル１０２を開口面の前方へ回転させると、第１パネル１０１と第２パネル１０２とがヒンジピン８１を中心として互いに接近するように「く」の字に折れ曲がる。このとき、第２パネル固定プーリ８３にベルト８７が巻き取られて、中継プーリ８５、中継スプロケット８６、第１スプロケット５５が第１パネル１０１に対して第２パネル固定プーリ８３と同方向（図１７（Ｂ）の矢印で示した方向）に回転する。以下、第１及び第２実施形態と同様に、転動トルクギヤ５８が壁体固定トルクギヤ６０の外周面を第１スプロケット５５とは反対方向に転動し、第１パネル１０１が開口面の後方に向かって回転する。また、折畳扉１００を展開して開口１１１を閉鎖するために折り畳み状態の第２パネル１０２を開口面の後方へ回転させた場合には、上記各スプロケット５５，５６，５８，８６及び各プーリ８３，８５が折り畳み時とは逆方向に回転して、第１パネル１０１が開口面の前方に向かって回転する。本実施形態によっても上記第１及び第２実施形態と同等の効果を奏する。
【００７３】
ここで、本実施形態では、「第２パネル固定車」としての第２パネル固定プーリ８３と「第１回転車」としての第１スプロケット５５との間に、中継プーリ８５及び中継スプロケット８６を備えていたが、これらを備えていなくてもよい。即ち、図１８（Ａ）及び図１８（Ｂ）に示すように、ヒンジピン８１に固定された第２パネル固定車８３’（スプロケット又はプーリ）と、回転軸５４に固定された第１回転車５５’（スプロケット又はプーリ）の間をチェーン５７又はベルト８７で直結してもよい。
【００７４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７５】
（１）上記第１〜第３実施形態では、折畳扉パネル連動機構が、折畳扉１００の下端部に設けられていたが、折畳扉１００の上端部や上下両端部に設けてもよいし、折畳扉１００を構成するパネル１０１，１０２の内部に設けてもよい。
【００７６】
（２）上記第１〜第３実施形態におけるスプロケットに代えてプーリを使用し、チェーンに代えてベルトを使用してもよい。
【００７７】
（３）上記第１〜第３実施形態における第１パネル１０１及び／又は第２パネル１０２の下端面に、図１９に示すように、床面を転動可能な戸車３００（例えば、キャスター）を取り付けてもよい。このようにすれば、折畳扉１００と壁体１１０との連結部分であるヒンジ１０３，１０３や、第１パネル１０１と第２パネル１０２との連結部分であるヒンジユニット１０，５０，１５０にかかる折畳扉１００の自重による負荷が軽減される。なお、戸車３００は、第２パネル１０２の先端部及び第１パネル１０１の先端部に取り付けると効果的である。また、戸車３００は、転動する部分がローラー（図１９を参照）であってもよいしボールであってもよい。
【００７８】
（４）上記第１〜第３実施形態では、折畳扉パネル連動機構が、外部に露出していたが、図１９に示すように、折畳扉パネル連動機構を収容するカバー体３１０を折畳扉１００に着脱可能に取り付けて折畳扉パネル連動機構を保護するようにしてもよい。
【００７９】
（５）上記第１〜第３実施形態では、第１パネル１０１と第２パネル１０２とを、上下のヒンジユニット１０，５０，１５０だけで連結していたが、このヒンジユニット１０，５０，１５０に加えて、公知なヒンジ部材を折畳扉１００の上下方向の中間部分に取り付けてもよい。
【００８０】
（６）本発明は建物に備えた折畳扉に適用してもよいし、車両（例えばバス）に備えた折畳扉に適用してもよい。
【００８１】
（７）上記第１〜第３実施形態では、ヒンジ１０３及び壁体固定トルクギヤ６０を、壁体１１０の前面側に取り付けていたが、開口１１１の内側面にヒンジ１０３と壁体固定トルクギヤ６０とを取り付けて、開口１１１を開放する場合に、第２パネル１０２を第１パネル１０１に対して前後両方向に回転可能な構成としてもよい。このようにすれば、折畳扉１００の開閉操作の自由度が向上する。
【００８２】
（８）上記第２実施形態では、第３スプロケット７２と第１スプロケット５５との間でチェーン５７をたすき掛けして、互いに逆向きに回転するように連結していたが、図２０に示すように、第３スプロケット７２と第１スプロケット５５とが同方向に回転するようにチェーン５７で連結すると共に、第１回転トルクギヤ５６と壁体固定トルクギヤ６０とを直接噛合（ギヤ連結）させて、その他の構成を第２実施形態と同じ構成としてもよい。このような構成では、以下のように動作する。例えば、開口１１１を開放する（折畳扉１００を折り畳む）ために、第２パネル１０２を第１パネル１０１に対して、開口１１１の前方（図２０（Ｂ）の矢印で示した方向）に回転させた場合に、第１回転トルクギヤ５６が壁体固定トルクギヤ６０の周囲を第２パネル１０２の回転方向とは反対方向に転動し、第１パネル１０１が壁体１１０に対して開口１１１の後方に回転する。即ち、第１パネル１０１と第２パネル１０２とが「く」の字に折れ曲がりながら開口１１１の一側縁部１１１Ａに移動して、開口１１１が開かれる。
【００８３】
これに対し、開口１１１を閉塞する（折畳扉１００を開く）ために、第２パネル１０２を第１パネル１０１に対して、開口１１１の後方に回転させた場合には、第１回転トルクギヤ５６が壁体固定トルクギヤ６０の周囲を第２パネル１０２の回転方向とは反対方向（図２０（Ｂ）における反時計回り方向）に転動し、第１パネル１０１が壁体１１０に対して開口１１１の前方に回転して、開口１１１が閉じられる。従って、本構成でも上記第２実施形態と同等の効果を奏することができる。
【図面の簡単な説明】
【００８４】
【図１】本発明の第１実施形態に係る折畳扉の正面図
【図２】折畳扉の平面図
【図３】第１パネル及び第２パネルの部分斜視図
【図４】上部ヒンジユニットの正断面図
【図５】上部ヒンジユニットの分解断面図
【図６】上部ヒンジユニットの分解平面図
【図７】第１固定トルクギヤ及び第２パネル固定ギヤの平面図
【図８】折畳扉パネル連動機構の平面図
【図９】折畳扉パネル連動機構の側面図
【図１０】折畳扉パネル連動機構の平面図
【図１１】第２実施形態に係る折畳扉パネル連動機構の平面図
【図１２】折畳扉パネル連動機構の側面図
【図１３】折畳扉パネル連動機構の平面図
【図１４】第３実施形態に係る折畳扉パネル連動機構の平面図
【図１５】折畳扉パネル連動機構の側面図
【図１６】第１ブラケット及び第２ブラケットの平面図
【図１７】折畳扉パネル連動機構の平面図
【図１８】折畳扉パネル連動機構の平面図
【図１９】他の実施形態（３）及び（４）に係る折畳扉の正面図
【図２０】他の実施形態（８）に係る折畳扉パネル連動機構の平面図
【符号の説明】
【００８５】
１７Ａ    第１パネル固定トルクギヤ（第１パネル固定トルク伝達車）
１７Ｂ    第２パネル固定トルクギヤ（第２パネル固定トルク伝達車）
２２    ボール係合凹所（第１の係合凹所、第２の係合凹所）
２３    下側連結プレート（パネル連結部材、回転連結部材）
２５    上側連結プレート（パネル連結部材、回転連結部材）
２９    係合ボール（係合凸部）
５２，５２Ａ，５２Ｂ    第２スプロケット（第２回転車）
５５    第１スプロケット（第１回転車）
５６    第１回転トルクギヤ（第１回転トルク伝達車）
５７    チェーン（回転伝達部材）
５８    転動トルクギヤ（転動トルク伝達車）
６０    壁体固定トルクギヤ（壁体固定トルク伝達車）
７０，７０    第４スプロケット（第４回転車）
７２，７２    第３スプロケット（第３回転車）
８３    第２パネル固定プーリ（第２パネル固定車）
８７    ベルト
１００    折畳扉
１０１    第１パネル
１０２    第２パネル
１１０    壁体
１１１    開口
１５０    下部ヒンジユニット（ヒンジ機構）
３００    戸車
３１０    カバー体
【図１】
2007204962.tif 000003
【図２】
2007204962.tif 000004
【図３】
2007204962.tif 000005
【図４】
2007204962.tif 000006
【図５】
2007204962.tif 000007
【図６】
2007204962.tif 000008
【図７】
2007204962.tif 000009
【図８】
2007204962.tif 000010
【図９】
2007204962.tif 000011
【図１０】
2007204962.tif 000012
【図１１】
2007204962.tif 000013
【図１２】
2007204962.tif 000014
【図１３】
2007204962.tif 000015
【図１４】
2007204962.tif 000016
【図１５】
2007204962.tif 000017
【図１６】
2007204962.tif 000018
【図１７】
2007204962.tif 000019
【図１８】
2007204962.tif 000020
【図１９】
2007204962.tif 000021
【図２０】
2007204962.tif 000022
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
壁体（１１０）に形成された開口（１１１）の一側縁部に回動可能に連結される第１パネル（１０１）と、その第１パネル（１０１）の先端部に回動可能に連結された第２パネル（１０２）とを前記壁体（１１０）の開口面に対して平行に配置して前記開口（１１１）を閉塞可能な折畳扉（１００）に組み付けられ、前記第１パネル（１０１）と前記第２パネル（１０２）とを連動させる折畳扉パネル連動機構において、
前記第１パネル（１０１）の基端部に回転可能に軸支された第１のスプロケット（５５）又はプーリと、
前記壁体（１１０）と前記第１パネル（１０１）との間に設けられて、前記壁体（１１０）に対する前記第１パネル（１０１）の回転に連動して前記第１のスプロケット（５５）又はプーリを軸支部分に対して回転させる第１トルク伝達機構（５６，５８，６０）と、
前記第１パネル（１０１）の先端部に回転可能に軸支された第２のスプロケット（５２）又はプーリと、
前記第１パネル（１０１）と前記第２パネル（１０２）との間に設けられて、前記第１パネル（１０１）に対する前記第２パネル（１０２）の回転に連動して前記第２のスプロケット（５２）又はプーリを軸支部分に対して回転させる第２トルク伝達機構（１７Ａ，１７Ｂ，２３，２５）と、
前記第２パネル（１０２）が前記開口面に対する前後方向の一方側に回転する動作に連動して、前記第１パネル（１０１）が前記開口面に対する前後方向の他方側に同角度で回転するように、前記第１のスプロケット（５５）又はプーリと前記第２のスプロケット（５２）又はプーリとを同方向に連動回転可能に連結するチェーン（５７）又はベルトとを備え、
前記第１トルク伝達機構（５６，５８，６０）は、前記壁体（１１０）に固定された壁体固定トルク伝達車（６０）と、前記第１のスプロケット（５５）又はプーリと同軸上に設けられて一体回転する第１回転トルク伝達車（５６）と、前記第１パネル（１０１）に回転可能に軸支され、前記壁体固定トルク伝達車（６０）と前記第１回転トルク伝達車（５６）の外周面に係合して前記壁体固定トルク伝達車（６０）の外周面を転動する転動トルク伝達車（５８）とを有し、
前記第２トルク伝達機構（１７Ａ，１７Ｂ，２３，２５）は、前記第１パネル（１０１）と前記第２パネル（１０２）とを連結すると共にそれら第１パネル（１０１）及び第２パネル（１０２）に対して回転可能に軸支されかつ前記第２のスプロケット（５２）又はプーリに固定されたパネル連結部材（２３，２５）と、前記第１パネル（１０１）の先端部に固定された第１パネル固定トルク伝達車（１７Ａ）と、前記第２パネル（１０２）の基端部に固定されて前記第１パネル固定トルク伝達車（１７Ａ）の外周面に係合すると共に、前記第１パネル（１０１）に対する前記第２パネル（１０２）の回転により前記第１パネル固定トルク伝達車（１７Ａ）の外周面を転動する第２パネル固定トルク伝達車（１７Ｂ）とを有したことを特徴とする折畳扉パネル連動機構。
【請求項２】
壁体（１１０）に形成された開口（１１１）の一側縁部に回動可能に連結される第１パネル（１０１）と、その第１パネル（１０１）の先端部に回動可能に連結された第２パネル（１０２）とを前記壁体（１１０）の開口面に対して平行に配置して前記開口（１１１）を閉塞可能な折畳扉（１００）に組み付けられ、前記第１パネル（１０１）と前記第２パネル（１０２）とを連動させる折畳扉パネル連動機構において、
前記第１パネル（１０１）の基端部に回転可能に軸支された第１のスプロケット（５５）又はプーリと、
前記壁体（１１０）と前記第１パネル（１０１）との間に設けられて、前記壁体（１１０）に対する前記第１パネル（１０１）の回転に連動して前記第１のスプロケット（５５）又はプーリを軸支部分に対して回転させる第１トルク伝達機構（５６，５８，６０）と、
前記第１パネル（１０１）の先端部に回転可能に軸支された第２のスプロケット（５２Ａ，５２Ｂ）又はプーリと、
前記第１パネル（１０１）と前記第２パネル（１０２）との間に設けられて、前記第１パネル（１０１）に対する前記第２パネル（１０２）の回転に連動して前記第２のスプロケット（５２Ａ，５２Ｂ）又はプーリを軸支部分に対して回転させる第２トルク伝達機構（１７Ａ，１７Ｂ，２３，２５，７０，７２）と、
前記第２パネル（１０２）が前記開口面に対する前後方向の一方側に回転する動作に連動して、前記第１パネル（１０１）が前記開口面に対する前後方向の他方側に同角度で回転するように、前記第１のスプロケット（５５）又はプーリと前記第２のスプロケット（５２）又はプーリとを連動回転可能に連結するチェーン（５７）又はベルトとを備え、
前記第１トルク伝達機構（５６，５８，６０）は、前記壁体（１１０）に固定された壁体固定トルク伝達車（６０）と、前記第１のスプロケット（５５）又はプーリと同軸上に設けられて一体回転する第１回転トルク伝達車（５６）と、前記第１パネル（１０１）に回転可能に軸支され、前記壁体固定トルク伝達車（６０）と前記第１回転トルク伝達車（５６）の外周面に係合して前記壁体固定トルク伝達車（６０）の外周面を転動する転動トルク伝達車（５８）とを有し、
前記第２トルク伝達機構（１７Ａ，１７Ｂ，２３，２５，７０，７２）は、前記第１パネル（１０１）と前記第２パネル（１０２）とを連結すると共にそれら第１パネル（１０１）及び第２パネル（１０２）に対して回転可能に軸支された回転連結部材（２３，２５）と、前記第１パネル（１０１）の先端部であって前記第２のスプロケット（５２Ａ，５２Ｂ）又はプーリよりも前記第１のスプロケット（５５）又はプーリ側の位置に回転可能に軸支された第３回転車（７２）と、前記第２パネル（１０２）の基端部に回転可能に軸支されかつ前記回転連結部材（２３，２５）に固定された第４回転車（７０）と、前記第１パネル（１０１）の先端部に固定された第１パネル固定トルク伝達車（１７Ａ）と、前記第２パネル（１０２）の基端部に固定されて前記第１パネル固定トルク伝達車（１７Ａ）の外周面に係合すると共に、前記第１パネル（１０１）に対する前記第２パネル（１０２）の回転により前記第１パネル固定トルク伝達車（１７Ａ）の外周面を転動する第２パネル固定トルク伝達車（１７Ｂ）とを有し、
前記チェーン（５７）又はベルトは、前記第４回転車（７０）、前記第２のスプロケット（５２Ａ，５２Ｂ）又はプーリ、前記第３回転車（７２）、前記第１のスプロケット（５５）又はプーリの順に回転方向が交互に逆向きになるようにたすき掛けされたことを特徴とする折畳扉パネル連動機構。
【請求項３】
前記第１パネル固定トルク伝達車（１７Ａ）又は前記第２パネル固定トルク伝達車（１７Ｂ）の一端面に常時当接するように付勢された係合凸部（２９）と、
前記第１パネル固定トルク伝達車（１７Ａ）又は前記第２パネル固定トルク伝達車（１７Ｂ）の一端面のうち、前記折畳扉（１００）が折り畳まれて前記開口（１１１）を開放したときに前記係合凸部（２９）が当接する部分に陥没形成された第１の係合凹部（２２）と、前記折畳扉（１００）が開かれて前記開口（１１１）が閉塞されたときに前記係合凸部（２９）が当接する部分に陥没形成された第２の係合凹部（２２）とを備えたことを特徴とする請求項１又は２に記載の折畳扉パネル連動機構。
【請求項４】
壁体（１１０）に形成された開口（１１１）の一側縁部に回動可能に連結される第１パネル（１０１）と、その第１パネル（１０１）の先端部に回動可能に連結された第２パネル（１０２）とを前記壁体（１１０）の開口面に対して平行に配置して前記開口（１１１）を閉塞可能な折畳扉（１００）に組み付けられ、前記第１パネル（１０１）と前記第２パネル（１０２）とを連動させる折畳扉パネル連動機構において、
前記壁体（１１０）に固定された壁体固定トルク伝達車（６０）と、
前記第１パネル（１０１）の基端部に回転可能に軸支された第１回転車（５５）と、
前記第１回転車（５５）と同軸上に設けられて一体回転する第１回転トルク伝達車（５６）と、
前記第１パネル（１０１）に回転可能に軸支され、前記壁体固定トルク伝達車（６０）と前記第１回転トルク伝達車（５６）の外周面に係合すると共に前記壁体固定トルク伝達車（６０）の外周面を転動する転動トルク伝達車（５８）と、
前記第２パネル（１０２）の基端部に固定された第２パネル固定車（８３）と、
前記第２パネル（１０２）が前記開口面に対する前後方向の一方側に回転する動作に連動して、前記第１パネル（１０１）が前記開口面に対する前後方向の他方側に同角度で回転するように、前記第１回転車（５５）と前記第２パネル固定車（８３）とを連結する回転伝達部材（５７，８７）とを備えたことを特徴とする折畳扉パネル連動機構。
【請求項５】
前記第１パネル（１０１）及び第２パネル（１０２）の厚さ方向においてそれら第１パネル（１０１）及び第２パネル（１０２）が折り畳まれた場合に内側に位置する側を回動中心とするヒンジ機構（１５０）を備え、そのヒンジ機構（１５０）の回動中心と同軸上に前記第２パネル固定車（８３）が設けられたことを特徴とする請求項４に記載の折畳扉パネル連動機構。
【請求項６】
壁体（１１０）に形成された開口（１１１）の一側縁部に回動可能に連結される第１パネル（１０１）と、
前記第１パネル（１０１）の先端部に回動可能に連結された第２パネル（１０２）と、
前記請求項１乃至５の何れかに記載の折畳扉パネル連動機構とを備えたことを特徴とする折畳扉（１００）。
【請求項７】
前記折畳扉パネル連動機構は、前記第１パネル（１０１）及び前記第２パネル（１０２）の上端面及び／又は下端面に設けられ、それら第１パネル（１０１）及び第２パネル（１０２）の上端面及び／又は下端面には、前記折畳扉パネル連動機構を収容するカバー体（３１０）が着脱可能に取り付けられたことを特徴とする請求項６に記載の折畳扉（１００）。
【請求項８】
前記第２パネル（１０２）は、前記第１パネル（１０１）よりも幅広に形成され、前記第１パネル（１０１）及び前記第２パネル（１０２）が前記壁体（１１０）の開口面に直交する開口直交面に平行に折り重ねられたときに、前記第２パネル（１０２）の先端部が前記第１パネル（１０１）の基端部よりも突出するように構成されたことを特徴とする請求項６又は７に記載の折畳扉（１００）。
【請求項９】
前記第１パネル（１０１）及び／又は前記第２パネル（１０２）の下端部には、戸車（３００）が備えられたことを特徴とする請求項６乃至８の何れかに記載の折畳扉（１００）。
【手続補正２】
【補正対象書類名】明細書
【補正対象項目名】０００５
【補正方法】変更
【補正の内容】
【０００５】
上記目的を達成するためになされた請求項１の発明に係る折畳扉パネル連動機構は、壁体（１１０）に形成された開口（１１１）の一側縁部に回動可能に連結される第１パネル（１０１）と、その第１パネル（１０１）の先端部に回動可能に連結された第２パネル（１０２）とを壁体（１１０）の開口面に対して平行に配置して開口（１１１）を閉塞可能な折畳扉（１００）に組み付けられ、第１パネル（１０１）と第２パネル（１０２）とを連動させる折畳扉パネル連動機構において、第１パネル（１０１）の基端部に回転可能に軸支された第１のスプロケット（５５）又はプーリと、壁体（１１０）と第１パネル（１０１）との間に設けられて、壁体（１１０）に対する第１パネル（１０１）の回転に連動して第１のスプロケット（５５）又はプーリを軸支部分に対して回転させる第１トルク伝達機構（５６，５８，６０）と、第１パネル（１０１）の先端部に回転可能に軸支された第２のスプロケット（５２）又はプーリと、第１パネル（１０１）と第２パネル（１０２）との間に設けられて、第１パネル（１０１）に対する第２パネル（１０２）の回転に連動して第２のスプロケット（５２）又はプーリを軸支部分に対して回転させる第２トルク伝達機構（１７Ａ，１７Ｂ，２３，２５）と、第２パネル（１０２）が開口面に対する前後方向の一方側に回転する動作に連動して、第１パネル（１０１）が開口面に対する前後方向の他方側に同角度で回転するように、第１のスプロケット（５５）又はプーリと第２のスプロケット（５２）又はプーリとを同方向に連動回転可能に連結するチェーン（５７）又はベルトとを備え、第１トルク伝達機構（５６，５８，６０）は、壁体（１１０）に固定された壁体固定トルク伝達車（６０）と、第１のスプロケット（５５）又はプーリと同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合して壁体固定トルク伝達車（６０）の外周面を転動する転動トルク伝達車（５８）とを有し、第２トルク伝達機構（１７Ａ，１７Ｂ，２３，２５）は、第１パネル（１０１）と第２パネル（１０２）とを連結すると共にそれら第１パネル（１０１）及び第２パネル（１０２）に対して回転可能に軸支されかつ第２のスプロケット（５２）又はプーリに固定されたパネル連結部材（２３，２５）と、第１パネル（１０１）の先端部に固定された第１パネル固定トルク伝達車（１７Ａ）と、第２パネル（１０２）の基端部に固定されて第１パネル固定トルク伝達車（１７Ａ）の外周面に係合すると共に、第１パネル（１０１）に対する第２パネル（１０２）の回転により第１パネル固定トルク伝達車（１７Ａ）の外周面を転動する第２パネル固定トルク伝達車（１７Ｂ）とを有したところに特徴を有する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
上記目的を達成するためになされた請求項２の発明に係る折畳扉パネル連動機構は、壁体（１１０）に形成された開口（１１１）の一側縁部に回動可能に連結される第１パネル（１０１）と、その第１パネル（１０１）の先端部に回動可能に連結された第２パネル（１０２）とを壁体（１１０）の開口面に対して平行に配置して開口（１１１）を閉塞可能な折畳扉（１００）に組み付けられ、第１パネル（１０１）と第２パネル（１０２）とを連動させる折畳扉パネル連動機構において、第１パネル（１０１）の基端部に回転可能に軸支された第１のスプロケット（５５）又はプーリと、壁体（１１０）と第１パネル（１０１）との間に設けられて、壁体（１１０）に対する第１パネル（１０１）の回転に連動して第１のスプロケット（５５）又はプーリを軸支部分に対して回転させる第１トルク伝達機構（５６，５８，６０）と、第１パネル（１０１）の先端部に回転可能に軸支された第２のスプロケット（５２Ａ，５２Ｂ）又はプーリと、第１パネル（１０１）と第２パネル（１０２）との間に設けられて、第１パネル（１０１）に対する第２パネル（１０２）の回転に連動して第２のスプロケット（５２Ａ，５２Ｂ）又はプーリを軸支部分に対して回転させる第２トルク伝達機構（１７Ａ，１７Ｂ，２３，２５，７０，７２）と、第２パネル（１０２）が開口面に対する前後方向の一方側に回転する動作に連動して、第１パネル（１０１）が開口面に対する前後方向の他方側に同角度で回転するように、第１のスプロケット（５５）又はプーリと第２のスプロケット（５２）又はプーリとを連動回転可能に連結するチェーン（５７）又はベルトとを備え、第１トルク伝達機構（５６，５８，６０）は、壁体（１１０）に固定された壁体固定トルク伝達車（６０）と、第１のスプロケット（５５）又はプーリと同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合して壁体固定トルク伝達車（６０）の外周面を転動する転動トルク伝達車（５８）とを有し、第２トルク伝達機構（１７Ａ，１７Ｂ，２３，２５，７０，７２）は、第１パネル（１０１）と第２パネル（１０２）とを連結すると共にそれら第１パネル（１０１）及び第２パネル（１０２）に対して回転可能に軸支された回転連結部材（２３，２５）と、第１パネル（１０１）の先端部であって第２のスプロケット（５２Ａ，５２Ｂ）又はプーリよりも第１のスプロケット（５５）又はプーリ側の位置に回転可能に軸支された第３回転車（７２）と、第２パネル（１０２）の基端部に回転可能に軸支されかつ回転連結部材（２３，２５）に固定された第４回転車（７０）と、第１パネル（１０１）の先端部に固定された第１パネル固定トルク伝達車（１７Ａ）と、第２パネル（１０２）の基端部に固定されて第１パネル固定トルク伝達車（１７Ａ）の外周面に係合すると共に、第１パネル（１０１）に対する第２パネル（１０２）の回転により第１パネル固定トルク伝達車（１７Ａ）の外周面を転動する第２パネル固定トルク伝達車（１７Ｂ）とを有し、チェーン（５７）又はベルトは、第４回転車（７０）、第２のスプロケット（５２Ａ，５２Ｂ）又はプーリ、第３回転車（７２）、第１のスプロケット（５５）又はプーリの順に回転方向が交互に逆向きになるようにたすき掛けされたところに特徴を有する。
【手続補正５】
【補正対象書類名】明細書
【補正対象項目名】０００８
【補正方法】変更
【補正の内容】
【０００８】
請求項３の発明は、請求項１又は２に記載の折畳扉パネル連動機構において、第１パネル固定トルク伝達車（１７Ａ）又は第２パネル固定トルク伝達車（１７Ｂ）の一端面に常時当接するように付勢された係合凸部（２９）と、第１パネル固定トルク伝達車（１７Ａ）又は第２パネル固定トルク伝達車（１７Ｂ）の一端面のうち、折畳扉（１００）が折り畳まれて開口（１１１）を開放したときに係合凸部（２９）が当接する部分に陥没形成された第１の係合凹部（２２）と、折畳扉（１００）が開かれて開口（１１１）が閉塞されたときに係合凸部（２９）が当接する部分に陥没形成された第２の係合凹部（２２）とを備えたところに特徴を有する。
【手続補正６】
【補正対象書類名】明細書
【補正対象項目名】０００９
【補正方法】変更
【補正の内容】
【０００９】
請求項４の発明に係る折畳扉パネル連動機構は、壁体（１１０）に形成された開口（１１１）の一側縁部に回動可能に連結される第１パネル（１０１）と、その第１パネル（１０１）の先端部に回動可能に連結された第２パネル（１０２）とを壁体（１１０）の開口面に対して平行に配置して開口（１１１）を閉塞可能な折畳扉（１００）に組み付けられ、第１パネル（１０１）と第２パネル（１０２）とを連動させる折畳扉パネル連動機構において、壁体（１１０）に固定された壁体固定トルク伝達車（６０）と、第１パネル（１０１）の基端部に回転可能に軸支された第１回転車（５５）と、第１回転車（５５）と同軸上に設けられて一体回転する第１回転トルク伝達車（５６）と、第１パネル（１０１）に回転可能に軸支され、壁体固定トルク伝達車（６０）と第１回転トルク伝達車（５６）の外周面に係合すると共に壁体固定トルク伝達車（６０）の外周面を転動する転動トルク伝達車（５８）と、第２パネル（１０２）の基端部に固定された第２パネル固定車（８３）と、第２パネル（１０２）が開口面に対する前後方向の一方側に回転する動作に連動して、第１パネル（１０１）が開口面に対する前後方向の他方側に同角度で回転するように、第１回転車（５５）と第２パネル固定車（８３）とを連結する回転伝達部材（５７，８７）とを備えたところに特徴を有する。
【手続補正７】
【補正対象書類名】明細書
【補正対象項目名】００１０
【補正方法】変更
【補正の内容】
【００１０】
請求項５の発明は、請求項４に記載の折畳扉パネル連動機構において、第１パネル（１０１）及び第２パネル（１０２）の厚さ方向においてそれら第１パネル（１０１）及び第２パネル（１０２）が折り畳まれた場合に内側に位置する側を回動中心とするヒンジ機構（１５０）を備え、そのヒンジ機構（１５０）の回動中心と同軸上に第２パネル固定車（８３）が設けられたところに特徴を有する。
【手続補正８】
【補正対象書類名】明細書
【補正対象項目名】００１１
【補正方法】変更
【補正の内容】
【００１１】
請求項６の発明に係る折畳扉（１００）は、壁体（１１０）に形成された開口（１１１）の一側縁部に回動可能に連結される第１パネル（１０１）と、第１パネル（１０１）の先端部に回動可能に連結された第２パネル（１０２）と、請求項１乃至５の何れかに記載の折畳扉パネル連動機構とを備えたところに特徴を有する。
【手続補正９】
【補正対象書類名】明細書
【補正対象項目名】００１２
【補正方法】変更
【補正の内容】
【００１２】
請求項７の発明は、請求項６に記載の折畳扉（１００）において、折畳扉パネル連動機構は、第１パネル（１０１）及び第２パネル（１０２）の上端面及び／又は下端面に設けられ、それら第１パネル（１０１）及び第２パネル（１０２）の上端面及び／又は下端面には、折畳扉パネル連動機構を収容するカバー体（３１０）が着脱可能に取り付けられたところに特徴を有する。
【手続補正１０】
【補正対象書類名】明細書
【補正対象項目名】００１３
【補正方法】変更
【補正の内容】
【００１３】
請求項８の発明は、請求項６又は７に記載の折畳扉（１００）において、第２パネル（１０２）は、第１パネル（１０１）よりも幅広に形成され、第１パネル（１０１）及び第２パネル（１０２）が壁体（１１０）の開口面に直交する開口直交面に平行に折り重ねられたときに、第２パネル（１０２）の先端部が第１パネル（１０１）の基端部よりも突出するように構成されたところに特徴を有する。
【手続補正１１】
【補正対象書類名】明細書
【補正対象項目名】００１４
【補正方法】変更
【補正の内容】
【００１４】
請求項９の発明は、請求項６乃至８の何れかに記載の折畳扉において、第１パネル及び／又は第２パネルの下端部には、戸車（３００）が備えられたところに特徴を有する。
【手続補正１２】
【補正対象書類名】明細書
【補正対象項目名】００１５
【補正方法】変更
【補正の内容】
【００１５】
［請求項１，２及び６の効果］
上記のように構成した請求項１，２及び６に係る発明によれば、折畳扉（１００）の第２パネル（１０２）を第１パネル（１０１）に対して開口面の前後方向の一方側に回転させると、その回転が第２トルク伝達機構（１７Ａ，１７Ｂ，２３，２５，７０，７２）により、第１パネル（１０１）に対する第２のスプロケット（５２，５２Ａ，５２Ｂ）又はプーリの回転として伝達される。すると第２のスプロケット（５２，５２Ａ，５２Ｂ）又はプーリに連動して第１のスプロケット（５５）又はプーリが第１パネル（１０１）に対して相対回転し、その回転が、第１トルク伝達機構（５６，５８，６０）によって、壁体（１１０）に対する第１パネル（１０１）の回転として伝達され、第１パネル（１０１）が壁体（１１０）に対して開口面の前後方向の他方側へ第２パネル（１０２）と同角度で回転する。
【手続補正１３】
【補正対象書類名】明細書
【補正対象項目名】００１９
【補正方法】変更
【補正の内容】
【００１９】
より詳細には、請求項１の構成によれば、第２パネル（１０２）を第１パネル（１０１）に対して開口面の前後方向の一方側へ回転させると、第２パネル固定トルク伝達車（１７Ｂ）が第１パネル固定トルク伝達車（１７Ａ）の外周面を転動する。すると、第１パネル（１０１）と第２パネル（１０２）が、パネル連結部材（２３，２５）との軸支部分を中心にして互いに相反する方向に回転する。このときパネル連結部材（２３，２５）に固定された第２のスプロケット（５２）又はプーリが第１パネル（１０１）に対して相対回転することになり、チェーン（５７）又はベルトが第２のスプロケット（５２）又はプーリに巻き取られる。すると、第１のスプロケット（５５）又はプーリが第１パネル（１０１）上で第２のスプロケット（５２）又はプーリと同方向に回転し、この第１のスプロケット（５５）又はプーリと同軸上に設けられた第１回転トルク伝達車（５６）が一体回転する。第１回転トルク伝達車（５６）の回転により、その外周面に係合した転動トルク伝達車（５８）が壁体固定トルク伝達車（６０）の外周面を第１のスプロケット（５５）又はプーリの回転方向（即ち、第１パネル（１０１）に対する第２パネル（１０２）の回転方向）とは反対方向に転動し、第１パネル（１０１）が壁体（１１０）に対して開口面の前後方向の他方側に回転する。つまり、第２パネル（１０２）を第１パネル（１０１）に対して回転させることで、第１パネル（１０１）が壁体（１１０）に対して第２パネル（１０２）とは反対方向に回転して、折畳扉（１００）が開かれたり折り畳まれる。
【手続補正１４】
【補正対象書類名】明細書
【補正対象項目名】００２０
【補正方法】変更
【補正の内容】
【００２０】
また、請求項２の構成によれば、第２パネル（１０２）を第１パネル（１０１）に対して開口面の前後方向の一方側へ回転させると、第２パネル固定トルク伝達車（１７Ｂ）が第１パネル固定トルク伝達車（１７Ａ）の外周面を転動する。すると、第１パネル（１０１）と第２パネル（１０２）が、回転連結部材（２３，２５）との軸支部分を中心にして互いに相反する方向に回転する。このとき第２のスプロケット（５２Ａ，５２Ｂ）又はプーリが第１パネル（１０１）に対して相対回転することになり、チェーン（５７）又はベルトが第２のスプロケット（５２Ａ，５２Ｂ）又はプーリに巻き取られる。すると、第１のスプロケット（５５）又はプーリが第１パネル（１０１）上で第２のスプロケット（５２Ａ，５２Ｂ）又はプーリと同方向に回転し、この第１のスプロケット（５５）又はプーリと同軸上に設けられた第１回転トルク伝達車（５６）が一体回転する。第１回転トルク伝達車（５６）の回転により、その外周面に係合した転動トルク伝達車（５８）が壁体固定トルク伝達車（６０）の外周面を第１のスプロケット（５５）又はプーリの回転方向（即ち、第１パネル（１０１）に対する第２パネル（１０２）の回転方向）とは反対方向に転動し、第１パネル（１０１）が壁体（１１０）に対して開口（１１１）面の前後方向の他方側に回転する。つまり、第２パネル（１０２）を第１パネル（１０１）に対して回転させることで、第１パネル（１０１）が壁体（１１０）に対して第２パネル（１０２）とは反対方向に回転して、折畳扉（１００）が開かれたり折り畳まれる。
【手続補正１５】
【補正対象書類名】明細書
【補正対象項目名】００２１
【補正方法】変更
【補正の内容】
【００２１】
［請求項３の効果］
請求項３の構成によれば、折畳扉（１００）が折り畳まれると、係合凸部（２９）が第１の係合凹部（２２）に凹凸嵌合して開口（１１１）が開放された状態に保持される。また、折畳扉（１００）が開かれると係合凸部（２９）が第２の係合凹部（２２）に凹凸嵌合して開口（１１１）が閉鎖された状態に保持される。これにより、折畳扉（１００）が偶発的に開閉動作することが防がれる。
【手続補正１６】
【補正対象書類名】明細書
【補正対象項目名】００２２
【補正方法】変更
【補正の内容】
【００２２】
［請求項４の効果］
請求項４の構成によれば、第２パネル（１０２）を第１パネル（１０１）に対して開口面の前後方向の一方側へ回転させると、第２パネル（１０２）の基端部に固定された第２パネル固定車（８３）が、第１パネル（１０１）に対して第２パネル（１０２）と同方向に回転し、その回転が第１パネル（１０１）上の第１回転車（５５）に伝達される。第１回転車（５５）は、第２パネル固定車（８３）と同方向に回転し、第１回転車（５５）と同軸上に設けられた第１回転トルク伝達車（５６）が第１回転車（５５）と一体回転する。第１回転トルク伝達車（５６）の回転により、その外周面に係合した転動トルク伝達車（５８）が壁体固定トルク伝達車（６０）の外周面を第１回転車（５５）の回転方向（即ち、第１パネル（１０１）に対する第２パネル（１０２）の回転方向）とは反対方向に転動し、第１パネル（１０１）が壁体（１１０）に対して開口面の前後方向の他方側に第２パネル（１０２）と同角度だけ回転する。
【手続補正１７】
【補正対象書類名】明細書
【補正対象項目名】００２６
【補正方法】変更
【補正の内容】
【００２６】
［請求項５の効果］
請求項５の構成によれば、折畳扉（１００）を開閉操作する場合に第１パネル（１０１）に対して第２パネル（１０２）の回転可能な方向が、開口面の前後方向の何れか一方に決まるので、折畳扉（１００）の開閉操作を安定して行うことができる。
【手続補正１８】
【補正対象書類名】明細書
【補正対象項目名】００２７
【補正方法】変更
【補正の内容】
【００２７】
［請求項７の効果］
請求項７の構成によれば、折畳扉パネル連動機構をカバー体（３１０）によって保護することができる。
【手続補正１９】
【補正対象書類名】明細書
【補正対象項目名】００２８
【補正方法】変更
【補正の内容】
【００２８】
［請求項８の効果］
請求項８の構成によれば、折畳扉（１００）を開閉する際に、第２パネル（１０２）の先端部を持って開閉操作することができる。
【手続補正２０】
【補正対象書類名】明細書
【補正対象項目名】００２９
【補正方法】変更
【補正の内容】
【００２９】
［請求項９の効果］
請求項９の構成によれば、折畳扉（１００）の自重を戸車（３００）で支えることができ、第１パネル（１０１）と第２パネル（１０２）との連結部分や第１パネル（１０１）と壁体（１１０）との連結部分にかかる折畳扉（１００）の自重による負荷を軽減できる。ここで、戸車（３００）とは、第１パネル（１０１）及び／又は第２パネル（１０２）を支持しかつ床面を転動可能であればよく、転動部分がローラー形状でもよいしボール形状でもよい。